(57)【要約】【課題】  遊技者に斬新な視覚効果を与え、遊技者が視認し易い遊技部品を提供する。【解決手段】  本発明は、遊技盤１の前面側に形成された遊技領域３に設けられた図柄表示装置４を備えた弾球遊技機において、図柄表示装置４を視認可能なように形成された図柄表示領域透視部９を備えた本体１５と、図柄表示透視部９側に所定角度傾斜した状態で本体１５に取付けられた演出表示装置１０とを備え、演出表示装置１０は、開閉可能に設けられた開閉部材４２と、開閉部材４２の後側に設けられた演出表示部４４と、開閉部材４２を開閉させるための開閉部材駆動伝達機構４５とを備え、開閉部材駆動伝達機構４５の駆動と演出表示部４４の表示がそれぞれ所定のタイミングで行われるように構成されていることを特徴とする。【選択図】  図１
2005052289.tif 000002
【特許請求の範囲】
【請求項１】
遊技盤の前面側に形成された遊技領域に設けられた図柄表示装置を備えた弾球遊技機において、前記図柄表示装置の近傍に設けられた遊技部品が、
前記図柄表示装置を視認可能なように形成された図柄表示領域透視部を備えた本体と、
前記図柄表示透視部側に所定角度傾斜した状態で前記本体に取付けられた演出表示装置とを備え、
該演出表示装置は、開閉可能に設けられた開閉部材と、該開閉部材の後側に設けられた演出表示部と、前記開閉部材を開閉させるための開閉部材駆動伝達機構とを備え、該開閉部材駆動伝達機構の駆動と前記演出表示部の表示がそれぞれ所定のタイミングで行われるように構成されていることを特徴とする弾球遊技機。
【発明の詳細な説明】
【技術分野】
【０００１】
本発明は、パチンコ遊技機等の弾球遊技機に関し、特に、所定条件に基づき変動図柄を表示させる図柄表示装置を備えた弾球遊技機に関する。
【背景技術】
【０００２】
一般に、パチンコ遊技機の種類としては、１種、２種、３種と呼ばれるものが知られている。このうち、１種又は３種と称されるパチンコ遊技機には、図柄を表示させる図柄表示装置と、この図柄表示装置の図柄を変動させるための始動入賞口とが設けられている。そして、この始動入賞口に遊技球が入賞すると、所定の演出を伴って図柄表示装置の図柄が変動表示された後、停止し、停止表示された図柄が所定の図柄（例えば、「７７７」等のぞろ目）となった場合に、遊技者に有利な遊技状態を創出するようになっている。
【０００３】
このようなパチンコ遊技機は、図柄表示装置に停止表示された図柄により遊技者に大きな利益を与えるため、遊技者は停止表示された図柄が所定のものであるか否かに遊技の興趣を集中させる。そのため、近年においては、図柄表示装置にカラー液晶表示装置や複数色ドットマドリックス等を採用し、表示能力の高度化を図ったり、或いは、表示装置の大型化を図ったりすることにより、図柄の変動態様に期待感やインパクトを与える工夫を凝らし、特定の演出効果を創出することが行われている（例えば、特許文献１参照）。
【０００４】
【特許文献１】特開平１１−２７６６７１号公報
【発明の開示】
【発明が解決しようとする課題】
【０００５】
ところが、上記したような弾球遊技機では、図柄表示装置の表示内容のマンネリ化は避けられず、遊技者の興味を十分に引けない状況になってきている。また、図柄表示装置を大型化しても、遊技者と表示装置との間隔が一定であるため、遊技者にとって表示部の外周部が視認し難くなるといった問題があった。
【０００６】
本発明は、上記課題を解決すべくなされたものであり、遊技者に斬新な視覚効果を与え、遊技者が視認し易い遊技部品を備えた弾球遊技機を提供するものである。
【課題を解決するための手段】
【０００７】
本発明は、遊技盤の前面側に形成された遊技領域に設けられた図柄表示装置を備えた弾球遊技機において、前記図柄表示装置を視認可能なように形成された図柄表示領域透視部を備えた本体と、前記図柄表示透視部側に所定角度傾斜した状態で前記本体に取付けられた演出表示装置とを備え、該演出表示装置は、開閉可能に設けられた開閉部材と、該開閉部材の後側に設けられた演出表示部と、前記開閉部材を開閉させるための開閉部材駆動伝達機構とを備え、該開閉部材駆動伝達機構の駆動と前記演出表示部の表示がそれぞれ所定のタイミングで行われるように構成されていることを特徴とする。
【発明の効果】
【０００８】
本発明によれば、図柄表示装置に加えて演出表示装置が設けられ、該演出表示装置には、開閉部材と演出表示部が設けられ、開閉部材の開閉と演出表示部の表示がそれぞれ所定のタイミングで行われるように構成されているため、表示領域を有効に活用することができると共に、多彩な演出が可能となり、遊技者に斬新な視覚効果を与え、遊技者の興味を増大させることができる。また、演出表示装置は図柄表示透視部側に所要角度傾斜した状態で取付けられているため、演出表示装置が視認し易くなり、視認性を向上させることができる。
【発明を実施するための最良の形態】
【０００９】
以下、図面を参照しつつ、本発明の実施の形態について説明する。
【００１０】
図１は本実施の形態における弾球遊技機の遊技盤１の正面図を示しており、図２は遊技盤１の背面図を示している。遊技盤１の前面には、ガイドレール２が環状に取付けられ、ガイドレール２の内側に遊技領域３が形成されている。遊技領域３には、その略中央部に図柄表示装置４が配置され、図柄表示装置４には、視認方向から見て、右側から右図柄５、中図柄６、左図柄７が表示されるようになっている。また、図柄表示装置４の周りには遊技部品８が設けられ、遊技部品８には、図柄表示装置４の各図柄５，６，７を視認可能なように矩形状の図柄表示領域透視部９が形成され、図柄表示領域透視部９に近接して（図１では右側に）演出表示装置１０が設けられている。さらに、遊技領域３には、遊技部品８の下方に、始動入賞口１１及び大入賞口１２等が配置され、始動入賞口１１には始動入賞検出スイッチ１３が取付けられている。そして、大入賞口１２は特定領域（Ｖゾーン）と一般領域とに区画形成され、その特定領域には特定領域通過検出スイッチ１４が取付けられている。また、遊技盤１の後面には、制御装置（図示せず）が設けられており、該制御装置は、図柄表示装置４の図柄表示内容に合わせて演出表示装置１０を制御したり、大入賞口１２の状態に合わせて演出表示装置１０を制御したりするように構成されている。
【００１１】
図３〜図５は遊技部品８を示しており、図３はその正面側からの斜視図、図４は背面側からの斜視図、図５は平面図である。遊技部品８は本体１５と演出表示装置１０とから構成され、本体１５には図柄表示透視部９の視認方向（前方）から見て右側に隣接して演出表示装置取付部１７が形成されている。演出表示装置取付部１７の前側には周縁部に沿って透明飾り部材１８が取付けられ、演出表示取付部１７の上方及び下方にはそれぞれ上部電飾部１９，下部電飾部２０が取付けられている。また、演出表示装置取付部１７の後側には周縁部に４箇所のネジ取付用ボス部２１が突設され、後側からボス部２１にネジ（図示せず）を螺入することにより演出表示装置１０を図柄表示透視部９側に所要角度α（図５参照）、例えば、１５度、傾斜した状態で取付可能となっている。
【００１２】
本体１５の前側上部には中央電飾部２２が設けられ、中央電飾部２２の視認方向から見てやや左側頂部に球入口２３が設けられている。また、本体１５の前側下部には球案内部２４が形成され、球案内部２４は上段の第１ステージ２５と下段の第２ステージ２６により段状に形成されている。第１ステージ２５は中央部２７が隆起し、波型を成しており、第１ステージ２５の一端（図３の左側）には球出口２８が形成されている。球出口２８は、本体１５の図柄表示透視部９を形成する枠材２９の外周に沿って設けられた球流路３０を介して球入口２３と連通している。また、第１ステージ２５の中央部２７には後方へ傾斜する球案内部３１が形成され、球案内部３１の後方には始動口案内口３２が形成されている。さらに、第１ステージ２５の中央部２７の下方には球通過口３３が形成され、球通過口３３は始動口案内口３２と連通している。また、第１ステージ２５の中央部２７の両側には前方の第２ステージ２６側へ傾斜する球案内部３４，３５がそれぞれ形成されている。球通過口３３の前方には中央凹部３６が形成され、第２ステージ２６は中央凹部３６に向かって傾斜し、中央凹部３６は始動入賞口１１の真上に位置するようになっている。また、球流路３０及び球案内部２４の後側には電飾部３７が設けられている。このため、球入口２３から遊技球が進入すると、第１ステージ２５において、始動入賞口１１への入賞が極めて容易な始動口案内口３２へ流入するかの振分けがなされるため、遊技者は図柄の変動契機となる始動入賞口１１への入賞の期待感を得ることができる。また、第１ステージ２５で始動口案内口３２へ流入しなかった場合でも、第２ステージ２６から中央凹部３６により始動入賞口１１近傍へ案内されて始動入賞口１１への入賞の可能性が残されているため、１個の遊技球の転動に対して長期間の期待感を得ることができる。
【００１３】
次に、主として図６〜図９を参照しつつ、演出表示装置１０について説明する。演出表示装置１０には枠体４１が設けられ、枠体４１内には、前面側から、開閉部材４２、レンズ部材４３、演出表示部４４、開閉部材駆動伝達機構４５が収容されている。
【００１４】
枠体４１は、角筒状の前面部材４６と前面部材４６の後側に嵌合する裏蓋部材４７とから構成されている。前面部材４６はベース部本体４８とベース部本体４８の前面側に固定される前面装飾用の前面飾り部材４９とから構成されている。前面飾り部材４９には円形状の視認孔５０が開口され、後面側から４本の固定用支柱部３９が後方に延出している。ベース部本体４８の外側角部には演出表示装置取付部１７のボス部２１に対応する位置に４個のベース部本体取付部５１が突設され、後側からベース部本体取付部５１をボス部２１に合わせてネジを螺入することにより、ベース部本体４８が演出表示装置取付部１７に固定されるようになっている。また、ベース部本体４８の上壁５２及び下壁５３の両端側には開閉部材回動支軸受け部５４，５５が形成され、上壁５２の開閉部材回動支軸受け部５４の幅は下壁５３の開閉部材回動支軸受け部５５の幅より小さくなっている。そして、上壁５２の各開閉部材回動支軸受け部５４より中央寄りには扇状の開閉部材係合ピンガイド部５６がそれぞれ切欠され、ベース部本体４８の上壁５２及び下壁５３の後面にはレンズ取付部５７が突設されている。また、上壁５２の上面には後方に延出する庇部５８が形成され、さらに、ベース部本体４８の後面には前面飾り部材４９の固定用支柱部３９に対応する位置に４個の裏蓋部材取付部５９が設けられている。
【００１５】
裏蓋部材４７は後壁６０と左右側壁６１，６２と下壁６３により形成され、左右側壁６１，６２は後壁６０に対してそれぞれ所定の角度傾斜しており、前面から見て左側の側壁６１は右側壁６２より奥行き寸法が短くなっている。左右側壁６１，６２の前端面にはベース部本体４８の裏蓋部材取付部５９に対応する位置にネジ挿通孔４０が穿設され、後側からネジ挿通孔４０にネジを螺入することにより、裏蓋部材取付部５９及び固定用支柱部３９を介して、裏蓋部材４７、ベース部本体４８、及び前面飾り部材４９が一体化されるようになっている。また、裏蓋部材４７の後壁６０の上部には開閉部材駆動伝達機構取付部６４が形成され、開閉部材駆動伝達機構取付部６４は５個の横長孔６５により構成されている。さらに、後壁６０には演出表示部取付部６６が形成され、演出表示部取付部６６は後壁６０に突設された上下支持部６７，６８により構成されている。上下支持部６７，６８にはそれぞれ取付孔６９，７０と取付突起７１，７２が並設され、上側支持部６７の取付孔６９と取付突起７１の間隔は下側支持部６８の取付孔７０と取付突起７２の間隔より狭くなっている。また、裏蓋部材４７の下部には、前方に延出する突出部３８が形成されており、突出部３８は、後述するベース部本体４８の下壁５３に形成された開閉部材回動支軸受け部５５の後端側に当接し、回動支軸ピン７５が開閉部材回動支軸受け部５５から脱落するのを防止するようになっている。
【００１６】
開閉部材４２は左右一対の扉部材７３から構成され、さらに、各扉部材７３は、半円形状で皿型を成す半透明な扉本体７４と、各扉本体７４に垂直に設けられる細長円柱形状の回動支軸ピン７５とから構成され、扉本体７４同士の合わせ部７６は波型を成している。扉本体７４の上側及び下側にはそれぞれ回動支軸ピン挿通部７７が形成され、上側の回動支軸ピン挿通部７７の横には上方に突出する扉係合ピン７８が扉本体７４と一体成形されている。また、回動支軸ピン７５の上端部には段部７９が形成され、段部７９より上方部分８０は他の部分より小径となっており、段部７９が上壁５２に当接することにより回動支軸ピン７５の上方への抜けが防止されるようになっている。
【００１７】
レンズ部材４３は、後述する演出表示部４４の発光部８３を遮蔽可能に形成された透明な平板状のレンズ本体８１と、レンズ本体８１の上部及び下部に設けられたレンズ部材取付部８２とから構成されている。レンズ部材取付部８２は、レンズ本体８１より後退して形成され、ベース部本体４８の上壁５２及び下壁５３の後面に形成されたレンズ取付部５７に係合することにより、レンズ部材４３の取付位置が決まるようになっている。
【００１８】
演出表示部４４は縦長矩形状のマトリクス３色ＬＥＤの発光部８３とプリント回路基板８４とから成り、プリント回路基板８４には駆動回路（図示せず）が設けられている。演出表示部４４の上部及び下部には、演出表示部取付部６６の上下支持部６７，６８に形成された取付孔６９，７０に対応した位置に基板取付孔８５，８６が穿設されていると共に、取付突起７１，７２に対応した位置に基板位置決め孔８７，８８が穿設されている。これにより、前側から基板取付孔８５，８６及び取付孔６９，７０にネジを螺入すると、演出表示部４４が裏蓋部材４７の演出表示部取付部６６に固定されるようになっている。そして、この場合、取付突起７１，７２に基板位置決め孔８７，８８を係合させると、取付孔６９，７０に基板取付孔８５，８６が合致するようになっているため、演出表示部４４の演出表示部取付部６６への取付作業は容易となる。また、上述したように、上側支持部６７の取付孔６９と取付突起７１との間隔と下側支持部６８の取付孔７０と取付突起７２との間隔が異なるため、演出表示部取付部６６に対して演出表示部４４を誤って上下反対に取付ける虞はない。
【００１９】
開閉部材駆動伝達機構４５には、図６に最も良く示されているように、下側から順に、駆動源であるモータ９１、モータ９１が固定されるモータベース９２、スライドガイド板９３、スライド板９４、ねじりバネ９５を収容するバネ収容体９６がそれぞれ設けられている。モータ９１は、例えば、基準位置出し用センサ内蔵タイプのステッピングモータであり、両側部にモータ取付部９７が形成されている。また、モータ９１はＤカット形状のモータ軸９８を有し、モータ軸９８にはカム軸９９が嵌着されている。カム軸９９は、モータ軸９８に嵌着される軸部１００と、軸部１００の上端において軸部１００と直角を成す平板状のカム部１０１とから構成されている。カム部１０１の先端部は半円状に形成され、基端部は矢尻状に形成されている。
【００２０】
モータベース９２は、裏蓋部材４７の後壁６０に沿って形成された鉛直部１０２と、鉛直部１０２から前方に延出する水平部１０３とから構成されている。鉛直部１０２の後面には位置決め突起部１０４が設けられ、位置決め突起部１０４は裏蓋部材４７の後壁６０に形成された横長孔６５に係合可能となっている。水平部１０３の下面にはモータ取付部収容部１０５が形成され、モータ取付部収容部１０５にモータ取付部９７を嵌設し、前方からネジを螺入することにより、モータ９１がモータベース９２に固定されるようになっている。また、水平部１０３の上面には２個の固定部１０６と４個の支持部１０７が突設され、固定部１０６と支持部１０７の高さは同一の所定高さに設定されている。さらに、水平部１０３の前端部には半円状の切欠部１０８が形成され、モータ９１がモータベース９２に固定された状態で、モータ軸９８及び軸部１００が切欠部１０８を遊貫するようになっている。
【００２１】
スライドガイド板９３には、カム軸９９の軸部１００に対応する位置に丸孔１１０が穿設され、丸孔１１０にカム軸９９の軸部１００が遊貫するようになっている。また、スライドガイド板９３には、モータベース９２の各固定部１０６に対応する位置にスライドガイド板取付孔１０９が穿設され、スライドガイド板取付孔１０９に上方からネジを螺入することにより、スライドガイド板９３がモータベース９２に固定されるようになっている。この場合、支持部１０７と固定部１０６とが同一高さに形成されているため、支持部１０７は、スライドガイド板９３の下面に当接し、スライドガイド板９３の下方への撓みを規制する。また、固定部１０６及び支持部１０７が所定高さを有しているため、モータベース９２とスライドガイド板９３との間に所定の空間が形成され、その空間に裏蓋部材４７の上側支持部６７が収容されるようになっている。スライドガイド板９３の上面には、両側に側壁部１１１が形成され、側壁部１１１の上端にはそれぞれ取付孔１１２及び位置決め突部１１３が形成され、取付孔１１２と位置決め突起１１３間の距離は左右で異なっている。また、スライドガイド板９３の上面には、左右側壁部１１１の内側及び後端部に沿って直線状のスライド板ガイド部１１４それぞれ突設されている。スライドガイド板９３の前端部には、ベース部本体４８の開閉部材係合ピンガイド部５６に対応する位置に矩形の逃げ部８９が形成され、スライドガイド板９３が扉係合ピン７８の回動を妨げないようになっている。さらに、逃げ部８９の両側にはそれぞれ前方に延出する当接部９０が形成されており、ベース部本体４８の上壁５２に形成された開閉部材回動支軸受け部５４の後端側に当接部９０が当接することにより、回動支軸ピン７５が開閉部材回動支軸受け部５４から脱落するのを防止するようになっている。
【００２２】
スライド板９４には、カム孔１１５及びバネ係合孔１１６が形成され、カム孔１１５内にカム部１０１が配置されるようになっている。また、スライド板９２の前端部には長円形状の扉係合ピン係合孔１１７が２個穿設され、扉係合ピン係合孔１１７に扉係合ピン７８が係合可能となっている。さらに、スライド板９４の下面には所要本数のリブ突起（図示せず）が前後方向に形成され、スライド板９４はこのリブ突起を介してスライドガイド板９３上を前後方向にスライドするようになっている。
【００２３】
バネ収容体９６は、ねじりバネ９５を保持する横長矩形板状のバネ保持部材１１８と、バネ保持部材１１８に重合されるカバー部材１１９とから構成されている。バネ保持部材１１８には、ねじりバネ９５のねじり部１２４を左側端部に載置した状態でねじりバネ９５の一端部１２０を掛止する掛止孔１２１と、ねじりバネ９５の他端部１２２がスライド可能なように前後方向に延びるスリット孔１２３とが形成され、その他端部１２２はスライド板９４に形成されたバネ係合孔１１６に係合し、スライド板９４を後方に付勢するようになっている。これにより、ねじりバネ９５の他端部１２２は、スライド板９４が前後方向にスライドするのに伴い、一端部１２０を支点にスリット孔１２３に沿って前後方向にスライドするようになっている。また、バネ保持部材１１８には、左右側部に沿ってそれぞれネジ挿通孔１２５、位置決め孔１２６、位置決め突部１２７が形成されており、スライドガイド板９３の位置決め突部１１３を位置決め孔１２６に嵌合することにより、ネジ挿通孔１２５がスライドガイド板９３の取付孔１１２に合致するようになっている。また、上述したように、スライドガイド板９３の取付孔１１２と位置決め突起１１３との距離は左右で異なっているため、バネ保持部材１１８をスライドガイド板９３上に誤って左右反対に取付ける虞はない。さらに、バネ保持部材１１８の下面には所要本数のリブ突起（図示せず）が前後方向に形成されており、スライド板９４はバネ保持部材１１８に対してこのリブ突起を介して接触するようになっている。
【００２４】
カバー部１１９は、内側にバネ収容凹部空間が形成されたバネ収容部１２８と、バネ収容部１２８の前壁１２９の下端部から前方に水平に延出するカバープレート１３０とから形成されている。バネ収容部１２８のねじりバネ９５のねじり部１２４に対応する部分は開口されており、角部にはそれぞれネジ挿通孔１３１、位置決め孔１３２が穿設されている。これにより、バネ保持部材１１８の位置決め突部１２７を位置決め孔１３２に嵌合し、ネジ挿通孔１３１の上方からネジを螺入すると、バネ保持部材１１８のネジ挿通孔１２５及びスライドガイド板９３の取付孔を介して、カバー部材１１９及びバネ保持部材１１８がスライドガイド板９３に固定されるようになっている。また、カバープレート１３０はその前端部がベース部本体４８の上壁５２に形成された庇部５８に係止し、上壁５２の上方を覆うようになっている。
【００２５】
次に、図１、図３、及び図１０〜１５を主に参照しつつ、本実施の形態に係る弾球遊技機の動作について説明する。
【００２６】
遊技者により弾球された遊技球が遊技領域を落下する過程において、球入口２３に入賞すると、その遊技球は球流路３０内を通過し、球出口２８から球案内部２４の第１ステージ２５に至る。第１ステージ２５に到達した遊技球は、中央部２７の球案内部３１から後方の始動口案内口３２に落下したり、或いは、中央部２７の両側に形成された球案内部３４，３５から前方の第２ステージ２６に落下したりする。そして、始動口案内口３２に落下した遊技球は、球通過口３３を通って、また、第２ステージ２６に落下した遊技球の多くは第２ステージ２６を通って、それぞれ中央凹部３６に到達する。中央凹部３６に到達した遊技球は、中央凹部３６が始動入賞口１１の真上に位置しているため、高い確率で始動入賞口１１に入賞する。
【００２７】
遊技球が、このように球入口２３に入賞した後に球案内部２４を通って、或いは、球入口２３に入賞することなく直接、始動入賞口１１に入賞した場合、始動入賞検出スイッチ１３が遊技球の始動入賞口１１への入賞を検出し、その検出信号が図示しない制御装置に送られる。この検出信号に基づいて、前記制御装置は図柄始動信号を送信し、この図柄始動信号により、図柄表示装置４において図柄の変動表示が開始されると共に、モータ９１が駆動される。
【００２８】
図１０（ａ）及び図１１（ａ）は、モータ９１が駆動する前の演出表示装置１０の状態を示している。この状態では、カム部１０１が横向き姿勢を成し、スライド板９４はねじりバネ９５の付勢力により後退した位置に停止しており、扉係合ピン７８は開閉部材係合ピンガイド部５６の後端に位置し、左右一対の扉部材７３は閉鎖状態に保たれている。そして、モータ９１が駆動されると、図１０(ｂ)及び図１１（ｂ）に示されているように、カム部１０１は軸部１００を支点に回転し、カム孔１１５に係合し、スライド板９４は、ねじりバネ９５の付勢力に抗しつつ、前方にスライドする。この時、上述したようにスライド板９４の両側にはスライド板ガイド部１１４が設けられているため、前方へのスライド動作は確実且つ円滑に行われる。また、スライド板９４は、スライド板９４及びバネ保持部材１１８のそれぞれ下面に形成された前記リブ突起を介して下方のスライド板ガイド部１１４及び上方のバネ保持部材１１８と接触するようになっているため、スライド動作中の摩擦抵抗が少なく、モータ９１の駆動力を最小に抑えることができる。
【００２９】
そして、このようにスライド板９４が前方にスライドすると、扉係合ピン７８は、回動支軸ピン７５を支点に扇形の開閉部材係合ピンガイド部５６に沿って前方に回転し、左右一対の扉部材７３は所定角度、例えば、６０度開放された状態となる。この時、演出表示部４４の発光部８３には、例えば、図１５（ａ）に示されているように、図柄変動表示が開始されたことを示す「スタート」の表示がなされる。演出表示装置１０は図柄表示透視部９側に所要角度（この場合では１５度）傾斜した状態で取付けられているため、遊技者は演出表示装置１０の扉部材７３の開放動作及び発光部８３の表示を姿勢を変えることなく視認することができ、これにより、遊技者の疲労を軽減し、興味を十分引くことができる。
【００３０】
その後、モータ９１はカム部１０１が元の横向き姿勢となったところで停止し、スライド板９４が元の後退位置に戻ると、扉係合ピン７８は開閉部材係合ピンガイド部５６の後端位置に戻り、左右一対の扉部材７３は閉鎖された状態に戻る。
【００３１】
また、上述したように、図柄表示装置４において図柄の変動表示が開始されると、前記制御装置は、所定時間経過後、左図柄７、右図柄５の順に揺れ変動を開始させ、左図柄７と右図柄５の図柄が揃うと判断した場合、再び、モータ９１を駆動させる。そして、上述したのと同様の動作手順で、左右一対の扉部材７３が開閉され、扉部材７３の開放中、演出表示部４４の発光部８３には、例えば、図１５（ｂ）に示されているように、遊技がリーチ状態にあることを示す「立直」の表示がなされ、遊技者に期待感を抱かせる。
【００３２】
その後、前記制御装置は、右図柄５、中図柄６、左図柄７のすべての図柄が揃うと判断した場合、再び、モータ９１を駆動させる。そして、上述したのと同様の動作手順で、左右一対の扉部材７３が開閉され、扉部材７３の開放中、演出表示部４４の発光部８３には、例えば、図１５（ｃ）に示されているように、「大当り」の表示がなされ、通常遊技から特別遊技（大当り遊技）に移行する。
【００３３】
このように特別遊技に突入すると、大入賞口１２が開放され、遊技球が大入賞口１２に入賞した場合には１５球の賞球が遊技者に払い出される。大入賞口１２は、開放してから３０秒経過するか、又は１０球の入賞があるかのいずれかの事象が発生した場合に一旦閉鎖するが、大入賞口１２が開放している間に、特定領域（Ｖゾーン）への入賞があった場合には、大入賞口１２は再度開放される。そこで、本実施の形態においては、大入賞口１２に１０球の入賞があった場合と、大入賞口１２が開放している間に特定領域（Ｖゾーン）への入賞があったことを特定領域通過検出スイッチ１４が検出した場合には、モータ９１を駆動させる。そして、大入賞口１２が開放している間に、特定領域（Ｖゾーン）への入賞があったことを特定領域通過検出スイッチ１４が検出した場合には、扉部材７３の開放中、演出表示部４４の発光部８３に、例えば、図１５（ｄ）に示すように、「Ｖ・ＩＮ」の表示を行い、また、大入賞口１２に１０球の入賞があった場合には、扉部材７３の開放中、演出表示部４４の発光部８３に、例えば、図１５（ｅ）に示すように、「ラウンド１０」の表示を行う。このように所定のタイミングで演出表示部４４の発光部８３に表示を行うことより、遊技者の興趣を演出表示装置１０に集中させることができる。
【００３４】
そして、大入賞口１２は、最大１６回連続して開放することが可能となっており、大入賞口１２が１６回開放し終えるか、或いは大入賞口１２の開放中に前記特定領域（Ｖゾーン）への入賞を特定領域通過検出スイッチが検出しなかった場合には、特別遊技は終了する。
【００３５】
なお、上記実施の形態では、演出表示装置１０は視認方向から見て図柄表示領域透視部９の右側に設けられているが、図柄表示領域透視部９の上、下、左側のいずれに設けられていてもよい。
【００３６】
また、前記制御装置がモータ９１を駆動させ、開閉部材４２を開閉させたり、演出表示部４４の発光部８３に表示させたりするタイミング及び回数は上記した場合に限定されるものではなく、例えば、特別遊技（大当たり遊技）の間中、モータ９１を連続的に駆動させ、開閉部材４２に開閉動作を繰り返し行わせたり、発光部８３に継続的に表示させたりしてもよい。さらに、開閉部材４２開放中の演出表示部４４の表示内容は、上記した内容に限定されるものではなく、他の各種変更が可能であり、また、点滅表示させる等、表示方法も各種変更が可能である。
【００３７】
さらに、上記実施の形態では、開閉部材４２は左右一対の扉部材７３で構成されているが、１枚の扉部材を上下に昇降させることにより開閉させる等、各種変更が可能である。
【００３８】
また、演出表示部４４をスライド板９４に連結し、扉部材７３の開閉と連動して演出表示部４４が前後方向に移動するように構成してもよい。
【００３９】
以上のように、本実施の形態によれば、図柄表示装置４に加えて演出表示装置１０が設けられ、図柄表示装置４の表示内容や大入賞口の状態に合わせて演出表示装置１０を制御するようになっているため、図柄表示装置４だけでは表現しにくかった期待感や今までにない斬新な感興を遊技者に提供することができる。
【図面の簡単な説明】
【００４０】
【図１】本発明の実施の形態における弾球遊技機の遊技盤を示す正面図である。
【図２】本発明の実施の形態における弾球遊技機の遊技盤を示す背面図である。
【図３】本発明の実施の形態における遊技部品を示す正面側からの斜視図である。
【図４】本発明の実施の形態における遊技部品を示す背面側からの斜視図である。
【図５】本発明の実施の形態における遊技部品を示す平面図である。
【図６】本発明の実施の形態における演出表示装置を示す分解斜視図である。
【図７】本発明の実施の形態における演出表示部の枠体、開閉部材、レンズ部材、及び演出表示部を示す分解平面図である。
【図８】本発明の実施の形態における演出表示装置の開閉部材駆動伝達機構を示す分解平面図である。
【図９】本発明の実施の形態における演出表示装置を示す分解正面図である。
【図１０】（ａ）は本発明の実施の形態におけるモータが駆動する前の演出表示装置の状態を示す斜視図であり、（ｂ）はそのモータが駆動した後の演出表示装置の状態を示す斜視図である。
【図１１】（ａ）は本発明の実施の形態におけるモータが駆動する前の演出表示装置の状態を示す平面図であり、（ｂ）はそのモータが駆動した後の演出表示装置の状態を示す平面図である。
【図１２】（ａ）は本発明の実施の形態における開閉部材が開放した状態を示す正面図であり、（ｂ）はその開閉部材が開放した状態を示す背面図である。
【図１３】本発明の実施の形態における図柄表示装置の表示内容に合わせてモータを駆動させるタイミングを示す図である。
【図１４】本発明の実施の形態における大入賞口の状態に合わせてモータを駆動させるタイミングを示す図である。
【図１５】（ａ）〜（ｅ）は演出表示部の表示内容を示す正面図である。
【符号の説明】
【００４１】
１          遊技盤
３          遊技領域
４          図柄表示装置
８          遊技部品
９          図柄表示領域透視部
１０        演出表示装置
４２        開閉部材
４４        演出表示部
４５        開閉部材駆動伝達機構
【図１】
2005052289.tif 000003
【図２】
2005052289.tif 000004
【図３】
2005052289.tif 000005
【図４】
2005052289.tif 000006
【図５】
2005052289.tif 000007
【図６】
2005052289.tif 000008
【図７】
2005052289.tif 000009
【図８】
2005052289.tif 000010
【図９】
2005052289.tif 000011
【図１０】
2005052289.tif 000012
【図１１】
2005052289.tif 000013
【図１２】
2005052289.tif 000014
【図１３】
2005052289.tif 000015
【図１４】
2005052289.tif 000016
【図１５】
2005052289.tif 000017